(57)【要約】【課題】簡易に且つ容易に、所定の塗厚が保持されるようにモルタルの塗着作業を行えるようにし、且つモルタルの塗厚を精度良く確認できるようにするモルタル塗厚定規を提供する。【解決手段】モルタル１６が所定の塗厚ｔで塗着されるようにガイドするモルタル塗厚定規１０であって、ベース部１８の密着面１８ａから定規ヘッド部１９までの高さがモルタル１６の塗厚ｔに相当する高さとなっており、ベース部１８には、ラス網１５の力骨１５ａを装着可能な円形挿通装着部２０が形成されており、密着面１８ａと円形挿通装着部２０との間の離間保持脚部２１をモルタル下地面１４と力骨１５ａとの隙間に差込んで力骨１５ａを円形挿通装着部２０に装着し、力骨１５ａに密着面１８ａをモルタル下地面１４に押付ける付勢力を生じさせてモルタル下地面１４に密着させることにより、定規ヘッド部１９をモルタル下地面１４から所定の塗厚ｔに相当する高さに配置する。【選択図】図３
2010174571.tif 000002
【特許請求の範囲】
【請求項１】
力骨を有するラス網を介してモルタル下地面にモルタルを塗着する作業を行う際に、前記モルタル下地面に複数取り付けられてモルタルが所定の塗厚で塗着されるようにガイドするモルタル塗厚定規であって、
前記モルタル下地面に密着配置されるベース部の密着面から、先端の定規ヘッド部までの高さがモルタルの前記所定の塗厚に相当する高さとなっており、
前記ベース部には、前記密着面から先端側に離間した位置に、円形断面を備える前記力骨を挿通装着可能な略円形の中空投影断面を有する円形挿通装着部が、前記力骨に沿った装着方向に形成されており、
前記密着面と前記円形挿通装着部との間に介在する離間保持脚部を前記モルタル下地面と前記力骨との隙間に差し込んで、前記力骨を前記円形挿通装着部に装着することにより前記モルタル下地面から浮かせた状態とすることで、前記力骨に前記密着面を前記モルタル下地面に押し付ける付勢力を生じさせて、前記密着面を前記モルタル下地面に密着させることにより、前記定規ヘッド部を前記モルタル下地面から前記所定の塗厚に相当する高さに配置するモルタル塗厚定規。
【請求項２】
前記離間保持脚部は、前記ベース部を前記モルタル下地面に向けて押圧することにより、弾性により拡開変形して前記力骨を乗り越えることで、前記モルタル下地面と前記力骨との隙間に差し込まれる請求項１記載のモルタル塗厚定規。
【請求項３】
前記離間保持脚部は、前記定規ヘッド部を中心に開閉する一対の挟み込み片の先端部分に設けられており、前記一対の挟み込み片を開いた状態から前記力骨を挟み込むようにして閉塞係止する際に、前記モルタル下地面と前記力骨との隙間に差し込まれる請求項１記載のモルタル塗厚定規。
【請求項４】
前記離間保持脚部は、前記ベース部の前記密着面を前記モルタル下地面に密着させた状態から回転させることにより、前記モルタル下地面と前記力骨との隙間に差し込まれる請求項１記載のモルタル塗厚定規。
【発明の詳細な説明】
【技術分野】
【０００１】
本発明は、モルタル塗厚定規に関し、特に、モルタル下地面に力骨を有するラス網を介してモルタルを塗着する作業を行う際に用いるモルタル塗厚定規に関する。
【背景技術】
【０００２】
建物の外壁に求められる性能として、耐火性、耐震性、耐久性、美観等が挙げられるが、これらのうち特に耐火性に優れた外壁として、モルタル外壁が注目されている。モルタル外壁は、木摺り板を間隔をおいて重ね合わせた木摺り下地や地合板下地等の面材下地の表面に、防水シート等を敷設してモルタル下地面を形成すると共に、形成したモルタル下地面の表面にラス網を取り付け、このラス網に支持させるようにして、モルタル下地面を覆って例えば１６ｍｍ程度の所定の塗厚でモルタルを塗着することにより形成されることになる（例えば、特許文献１参照）。
【先行技術文献】
【特許文献】
【０００３】
【特許文献１】特開２００６−７７５４９号公報
【発明の概要】
【発明が解決しようとする課題】
【０００４】
一方、このようなモルタルの塗着作業は、主として左官職人によってなされており、所定の塗厚に均一に塗着されているか否かは、その技量によるところが大きく、また所定の塗厚に均一に塗着されているか否かをチェックすることも困難である。
【０００５】
すなわち、モルタルの塗厚は、例えば開口部におけるサッシのチリを計測したり、土台水切りや軒天通気見切り等の見切り部材のチリを計測したりすることによって確認することも可能であるが、これらの計測可能な箇所から離れた、いわゆるめくら壁部分に関しては、基準の取り方が容易ではなく、例えば上述の計測可能な箇所から水糸を張って塗厚を確認したり、モルタルの塗着作業の後に、真っ直ぐな定規を当てて不陸を確認することが行われていたが、これらの方法では、モルタルの塗厚を精度良く計測することは困難である。
【０００６】
また、塗着後のモルタルを一部壊して計測することも考えられるが、その補修に手間がかかると共に、外壁の美観を損うおそれがある。さらに、開口部や見切り部材等の計測可能な箇所から離れた部分にも、モルタルの塗厚の指標となる定規を簡易に設けることができれば、高度な熟練を要することなく、所定の塗厚が保持されるうようにさらに容易にモルタルの塗着作業を行うことが可能になると考えられる。
【０００７】
本発明は、簡易に且つ容易に、所定の塗厚が保持されるようにモルタルの塗着作業を行えるようにすることができると共に、モルタルの塗厚を精度良く確認させることのできるモルタル塗厚定規を提供することを目的とする。
【課題を解決するための手段】
【０００８】
本発明は、力骨を有するラス網を介してモルタル下地面にモルタルを塗着する作業を行う際に、前記モルタル下地面に複数取り付けられてモルタルが所定の塗厚で塗着されるようにガイドするモルタル塗厚定規であって、前記モルタル下地面に密着配置されるベース部の密着面から、先端の定規ヘッド部までの高さがモルタルの前記所定の塗厚に相当する高さとなっており、前記ベース部には、前記密着面から先端側に離間した位置に、円形断面を備える前記力骨を挿通装着可能な略円形の中空投影断面を有する円形挿通装着部が、前記力骨に沿った装着方向に形成されており、前記密着面と前記円形挿通装着部との間に介在する離間保持脚部を前記モルタル下地面と前記力骨との隙間に差し込んで、前記力骨を前記円形挿通装着部に装着することにより前記モルタル下地面から浮かせた状態とすることで、前記力骨に前記密着面を前記モルタル下地面に押し付ける付勢力を生じさせて、前記密着面を前記モルタル下地面に密着させることにより、前記定規ヘッド部を前記モルタル下地面から前記所定の塗厚に相当する高さに配置するモルタル塗厚定規を提供することにより、上記目的を達成したものである。
【０００９】
そして、本発明のモルタル塗厚定規は、前記離間保持脚部が、前記ベース部を前記モルタル下地面に向けて押圧することにより、弾性により拡開変形して前記力骨を乗り越えることで、前記モルタル下地面と前記力骨との隙間に差し込まれるようになっていることが好ましい。
【００１０】
また、本発明のモルタル塗厚定規は、前記離間保持脚部が、前記定規ヘッド部を中心に開閉する一対の挟み込み片の先端部分に設けられており、前記一対の挟み込み片を開いた状態から前記力骨を挟み込むようにして閉塞係止する際に、前記モルタル下地面と前記力骨との隙間に差し込まれるようになっていることが好ましい。
【００１１】
さらに、本発明のモルタル塗厚定規は、前記離間保持脚部は、前記ベース部の前記密着面を前記モルタル下地面に密着させた状態から回転させることにより、前記モルタル下地面と前記力骨との隙間に差し込まれるようになっていることが好ましい。
【発明の効果】
【００１２】
本発明のモルタル塗厚定規によれば、簡易に且つ容易に、所定の塗厚が保持されるようにモルタルの塗着作業を行えるようにするとができると共に、モルタルの塗厚を精度良く確認させることができる。
【図面の簡単な説明】
【００１３】
【図１】本発明の好ましい第１実施形態に係るモルタル塗厚定規を用いて形成されるモルタル外壁の構成を説明する要部断面図である。
【図２】本発明の好ましい第１実施形態に係るモルタル塗厚定規のモルタル下地面への取り付け状況を説明する斜視図である。
【図３】本発明の好ましい第１実施形態に係るモルタル塗厚定規のモルタル下地面への取り付け状況を説明する断面図である。
【図４】本発明の好ましい第１実施形態に係るモルタル塗厚定規を示す、（ａ）は正面図、（ｂ）は上面図、（ｃ）は側面図である。
【図５】本発明の好ましい第２実施形態に係るモルタル塗厚定規を示す、（ａ）は正面図、（ｂ）は斜視図である。
【図６】本発明の好ましい第３実施形態に係るモルタル塗厚定規を示す、（ａ）は回転する前の状態の正面図、（ｂ）は回転した後の状態の正面図である。
【発明を実施するための形態】
【００１４】
本発明の好ましい第１実施形態に係るモルタル塗厚定規１０は、図１及び図２に示すように、例えば建物の外壁部分に、外壁骨組み部材１１に支持させて設置した面材下地１２の表面に防水シート１３を敷設してモルタル下地面１４を形成し、しかる後に形成したモルタル下地面１４の表面に力骨１５ａを有するラス網１５を取り付け、このラス網１５に支持させるようにして、モルタル下地面１４を覆ってモルタル１６を塗着することによりモルタル外壁１７を形成する際に、例えば１６ｍｍ程度の所定の塗厚ｔを保持しつつモルタル１６の塗着作業を容易に行えるようにすると共に、モルタル１６の塗着後に、モルタル１６の塗厚を精度良く確認できるようにするために採用されたものである。
【００１５】
すなわち、本第１実施形態のモルタル塗厚定規１０は、図３及び図４にも示すように、力骨１５ａを有するラス網１５を介してモルタル下地面１４にモルタル１６を塗着する作業を行う際に、モルタル下地面１４に複数取り付けられてモルタル１６が所定の塗厚ｔで塗着されるようにガイドする塗厚定規であって、モルタル下地面１４に密着配置されるベース部１８の密着面１８ａから、先端の定規ヘッド部１９までの高さがモルタル１６の所定の塗厚ｔに相当する高さとなっており、ベース部１８には、密着面１８ａから先端側に離間した位置に、円形断面を備える力骨１５ａを挿通装着可能な略円形の中空投影断面を有する円形挿通装着部２０が、力骨１５ａに沿った装着方向に形成されており、密着面１８ａと円形挿通装着部２０との間に介在する離間保持脚部２１をモルタル下地面１４と力骨１５ａとの隙間に差し込んで、力骨１５ａを円形挿通装着部２０に装着することによりモルタル下地面１４から浮かせた状態とすることで、力骨１５ａに密着面１８ａをモルタル下地面１４に押し付ける付勢力を生じさせて、密着面１８ａをモルタル下地面１４に密着させることにより、定規ヘッド部１９をモルタル下地面１４から所定の塗厚ｔに相当する高さに配置するようになっている。
【００１６】
また、本第１実施形態では、離間保持脚部２１は、ベース部１８をモルタル下地面１４に向けて押圧することにより、弾性により拡開変形して力骨１５ａを乗り越えることで、モルタル下地面１４と力骨との隙間に差し込まれるようになっている。
【００１７】
本第１実施形態では、モルタル下地面１４に取付けられるラス網１５は、金属製の線材を、網目構造となるように交差する２方向に平行に多数配置することによって形成された公知の部材であり、例えばメタルラス、ワイヤラス等の種々のラス網を使用することができる。また、本第１実施形態では、ラス網１５は、縦横に配置された例えば直径が１〜３ｍｍ程度の金属製の丸棒からなる力骨１５ａを備えており、こられの力骨１５ａをステープル釘等を介してモルタル下地面１４に留め付けて、モルタル下地面１４に沿って容易に取り付けることができるようになっている。
【００１８】
さらに、本第１実施形態では、ラス網１５が取り付けられる面材下地１２として、好ましくは特開２０００−１６０７３２号公報に記載のパネル部材と同様の構成を備える、間隔をおいて平行に配置された複数の表側帯状小幅板１２ａと、間隔をおいて平行に配置された複数の裏側帯状小幅板１２ｂとを互いに交差させた状態で接合一体化してなる耐力面材が用いられている。
【００１９】
そして、本第１実施形態のモルタル塗厚定規１０は、例えば合成樹脂製又は金属製の部材であって、図４（ａ）〜（ｃ）に示すように、略上半部分に配置される立設プレート部２２と、この立設プレート部２２の下端部分から枝分かれするようにして略下半部分に配置される、長手方向両端部分の図４（ａ），図４（ｂ）において右側に枝分かれした一対の第１脚部２３，２３、及び長手方向中央部分の図４（ａ），図４（ｂ）において左側に枝分かれした第２脚部２４とからなり、長手方向両端部分の一対の第１脚部２３，２３及び長手方向中央部分の第２脚部２４の下端部分は、幅広に形成されていて、モルタル塗厚定規１０のベース部１８を構成していると共に、ベース部１８の底面は平坦に形成されていて密着面１８ａとなっている。
【００２０】
また、本第１実施形態のモルタル塗厚定規１０は、図４（ｃ）に示す側面視した形状が略矩形形状を備えていると共に、立設プレート部２２の直線状の上端が定規ヘッド部１９となっており、モルタル下地面１４に密着配置されるベース部１８の密着面１８ａから定規ヘッド部１９の先端までの高さが、塗着されるモルタル１６の所定の塗厚ｔに相当する高さとなっている（図３参照）。
【００２１】
さらに、本第１実施形態では、第１脚部２３，２３と第２脚部２４との下端部分には、各々の内側面におけるベース部１８の密着面１８ａから離間した位置に、円弧断面形状に切り欠かれた第１円弧状凹溝２３ａ，２３ａと第２円弧状凹溝２４ａとが各々形成されている。これらの第１円弧状凹溝２３ａ，２３ａと第２円弧状凹溝２４ａとは、図４（ａ）に示す正面視した状態で互いに対向配置されることにより、略円形の中空投影断面を有する円形挿通装着部２０を、力骨１５ａへの装着方向であるモルタル塗厚定規１０の長手方向に沿って形成することになる。
【００２２】
さらにまた、本第１実施形態では、第１脚部２３，２３及び第２脚部２４の内側面に各々形成された第１円弧状凹溝２３ａ，２３ａ及び第２円弧状凹溝２４ａの下端縁部と、ベース部１８の密着面１８ａとの間に介在して、離間保持脚部２１が設けられている。また、図４（ａ）に示す正面視した状態で、第１円弧状凹溝２３ａ，２３ａ側の離間保持脚部２１と第２円弧状凹溝２４ａ側の離間保持脚部２１との間には、モルタル塗厚定規１０を力骨１５ａに取り付けるためにベース部１８をモルタル下地面１４に向けて押圧した際に、第１脚部２３，２３及び第２脚部２４をこれらの弾性によって拡開変形させ、力骨１５ａを乗り越えさせて離間保持脚部２１をモルタル下地面１４と力骨との隙間に差し込むことを可能にする、装着間隔部２５が形成されるようになっている。
【００２３】
これによって、本第１実施形態のモルタル塗厚定規１０は、例えば立設プレート部２２を把持すると共に、長手方向を力骨１５ａに沿わせた状態で、ベース部１８をモルタル下地面１４に向けて押圧すれば、離間保持脚部２１がモルタル下地面１４と力骨との隙間にスムーズに差し込まれると共に、力骨１５ａが円形挿通装着部２０に装着されてモルタル下地面１４から浮いた状態なることで、力骨１５ａには密着面１８ａをモルタル下地面１４に押し付ける付勢力が生じることになる。この付勢力によって密着面１８ａをモルタル下地面１４に強固に密着させることにより、定規ヘッド部１９を、モルタル下地面１４からモルタルの所定の塗厚ｔに相当する高さに安定した状態で配置することは可能になる。
【００２４】
そして、上述の構成を有する本第１実施形態のモルタル塗厚定規１０によれば、簡易に且つ容易に、所定の塗厚ｔが保持されるようにモルタル１６の塗着作業を行えるようにするとが可能になると共に、モルタルの塗厚を精度良く確認させることが可能になる。
【００２５】
すなわち、本第１実施形態によれば、モルタル塗厚定規１０は、上述のように、ベース部１８と定規ヘッド部１９とを備える合成樹脂製の簡易且つ安価な構成を備えており、ベース部１８をモルタル下地面１４に向けて押圧することより、離間保持脚部２１をモルタル下地面１４と力骨１５ａとの隙間に差し込みつつ力骨１５ａを円形挿通装着部２０に装着することで、力骨１５ａには密着面１８ａをモルタル下地面１４に押し付ける付勢力が生じることになり、これによって、ラス網１５の力骨１５ａが延設する任意の位置に、定規ヘッド部１９をモルタル下地面１４から所定の塗厚ｔに相当する高さに配置した状態で、容易且つ安定した状態でモルタル下地面１４に設置してゆくことが可能になる。
【００２６】
このように、モルタル塗厚定規１０は、開口部や見切り部材等のモルタル１６の塗厚ｔを計測可能な箇所から離れた部分においても、モルタル下地面１４の力骨１５ａが延設する任意の位置に、必要数、所望の間隔をおいて容易に取り付けることができるので、これらのモルタル塗厚定規１０をモルタル１６の塗厚ｔの指標として、高度な熟練を要することなく、所定の塗厚ｔが保持されるうように容易にモルタルの塗着作業を行うことが可能になる。また、例えばモルタル塗厚定規１０の定規ヘッド部１９の先端を塗着されたモルタル１６の表面に臨ませておくことにより、塗着後においても、モルタル１６の塗厚を例えば目視によって精度良く確認することが可能になる。
【００２７】
さらに、本第１実施形態によれば、モルタル塗厚定規１０を取り付ける際に、防水シート１３を貫通するタッカー等の固定金具を使用しないので、防水シート１３にピンホール等を生じさせることがなく、例えば雨水等が屋内に侵入するのを効果的に回避することが可能になると共に、モルタル塗厚定規１０は好ましくは合成樹脂製又は金属製なので、定規ヘッド部１９の先端が塗着されたモルタル１６の表面に現れている場合でも腐食するのを効果的に回避することが可能になる。
【００２８】
図５（ａ），（ｂ）は、本発明の好ましい第２実施形態に係るモルタル塗厚定規３０の構成を説明するものである。本第２実施形態のモルタル塗厚定規３０では、離間保持脚部３１は、定規ヘッド部３２を中心に開閉する一対の挟み込み片３３，３４の先端部分に設けられており、一対の挟み込み片３３，３４を開いた状態から、力骨１５ａを挟み込むようにして閉塞係止する際に、モルタル下地面１４と力骨１５ａとの隙間に離間保持脚部３１が差し込まれるようになっている。
【００２９】
図６（ａ），（ｂ）は、本発明の好ましい第３実施形態に係るモルタル塗厚定規４０の構成を説明するものである。本第３実施形態のモルタル塗厚定規４０では、離間保持脚部４１は、ベース部４２の密着面４２ａをモルタル下地面１４に密着させた状態から回転させることにより、モルタル下地面１４と力骨１５ａとの隙間に差し込まれるようになっている。
【００３０】
そして、第２実施形態のモルタル塗厚定規３０及び第３実施形態のモルタル塗厚定規４０によっても、離間保持脚部３１，４１をモルタル下地面１４と力骨１５ａとの間隔部分に差し込むことにより、力骨１５ａにベース部１８，４２の密着面１８ａ，４２ａをモルタル下地面１４に押し付ける付勢力を生じさせて、上記第１実施形態のモルタル塗厚定規１０と同様の作用効果を奏することになる。
【００３１】
なお、本発明は上記各実施形態に限定されることなく種々の変更が可能である。例えば、本発明のモルタル塗厚定規は、離間保持脚部をモルタル下地面と力骨との隙間に差し込んで力骨を円形挿通装着部に装着することにより、力骨にベース部の密着面をモルタル下地面に押し付ける付勢力を生じさせることが可能な、その他の種々の形状に形成することができる。
【符号の説明】
【００３２】
１０，３０，４０  モルタル塗厚定規
１１  外壁骨組み部材
１２  面材下地
１３  防水シート
１４  モルタル下地面
１５  ラス網
１５ａ  ラス網の力骨
１６  モルタル
１７  モルタル外壁
１８，４２  ベース部
１８ａ，４２ａ  ベース部の密着面
１９，３２  定規ヘッド部
２０  円形挿通装着部
２１，３１，４１  離間保持脚部
２２  立設プレート部
２３  第１脚部
２３ａ  第１円弧状凹溝
２４  第２脚部
２４ａ  第２円弧状凹溝
２５  装着間隔部
３３，３４  挟み込み片
ｔ    モルタルの所定の塗厚
【図１】
2010174571.tif 000003
【図２】
2010174571.tif 000004
【図３】
2010174571.tif 000005
【図４】
2010174571.tif 000006
【図５】
2010174571.tif 000007
【図６】
2010174571.tif 000008